(57)【要約】      （修正有）【課題】表示品質の低下及び電力消費量の増大を抑えることが可能なデータドライバ及び表示装置を提供することを目的とする。【解決手段】本発明は、各画素の輝度レベルを示す画素データ片の系列に対して誤り訂正符号化処理が施された少なくとも１つの符号化データブロックを含む画像データ信号を受信し、受信した前記画像データ信号に含まれる前記符号化データブロックに復号処理を施し、当該復号処理によって得られた前記画素データ片の各々を、夫々が示す前記輝度レベルに対応した電圧を有する画素駆動電圧に変換する。【選択図】図７
2019061249.tif 000002
【特許請求の範囲】
【請求項１】
各画素の輝度レベルを示す画素データ片の系列に対して誤り訂正符号化処理が施された少なくとも１つの符号化データブロックを含む画像データ信号を受信する受信部と、
受信した前記画像データ信号に含まれる前記符号化データブロックに復号処理を施す復号処理部と、
前記復号処理によって得られた前記画素データ片の各々を、夫々が示す前記輝度レベルに対応した電圧を有する画素駆動電圧に変換する変換部と、を有することを特徴とするデータドライバ。
【請求項２】
前記画像データ信号は、前記符号化データブロックを複数含み、
複数の前記符号化データブロックのうちの１つの符号化データブロック内の全ての前記画素データ片に対応した各画素が同一色を表すか否かを示すライン同一色データと、前記１つの符号化データブロック内の前記画素データ片の系列中から選択された赤色、緑色及び青色にそれぞれ対応する３つの前記画素データ片からなる代表画素データ群と、を更に含み、
前記変換部は、前記ライン同一色データが前記同一色を表す場合には、前記画像データ信号中の前記代表画素データ群に含まれる前記画素データ片の各々を前記画素駆動電圧に変換することを特徴とする請求項１に記載のデータドライバ。
【請求項３】
前記変換部は、前記ライン同一色データが前記同一色を表さない場合には、前記画像データ信号中の前記符号化データブロックに施された前記復号処理によって得られた前記画素データ片の各々を前記画素駆動電圧に変換することを特徴とする請求項２に記載のデータドライバ。
【請求項４】
前記符号化データブロックにはインタリーブ処理が施されており、
前記復号処理部は、
受信した前記画像データ信号に含まれる前記符号化データブロックに対してデインタリーブ処理を行うデインタリーブ回路と、
前記デインタリーブ処理によって復元された前記符号化データブロックに対して誤り訂正処理を行う誤り訂正回路と、を含むことを特徴とする請求項２又は３に記載のデータドライバ。
【請求項５】
前記ライン同一色データが前記同一色であることを示す場合には、
前記復号処理部は、前記デインタリーブ処理及び前記誤り訂正処理を行わず、前記変換部は前記画像データ信号中の前記代表画素データ群に含まれる前記画素データ片の各々を前記画素駆動電圧に変換することを特徴とする請求項４に記載のデータドライバ。
【請求項６】
請求項１〜５のいずれか１つに記載のデータドライバと、
前記データドライバに前記画像データ信号を送信する制御部と、
前記画素駆動電圧を夫々受ける複数のデータラインを含む表示パネルと、を含むことを特徴とする表示装置。
【請求項７】
前記制御部は、前記画素データ片の系列に対して誤り訂正符号化処理を施すことにより前記符号化データブロックを生成する誤り訂正符号化部を更に含むことを特徴とする請求項６に記載の表示装置。
【請求項８】
前記表示パネルは、前記複数のデータラインに交叉して配置されている複数の水平走査ラインを含み、
前記制御部は、
前記画素データ片の系列に基づき前記１水平走査ライン分の前記画素が同一色となるか否かを示すライン同一色データを生成するライン同一色検出部と、前記画素データ片の系列中から赤色、緑色及び青色にそれぞれ対応する３つの前記画素データ片を代表画素データ群として抽出する代表画素抽出部と、を含み、
前記１水平走査ライン毎に、前記ライン同一色データ、前記代表画素データ群、及び前記符号化データブロックを含む信号を前記画像データ信号として前記データドライバに送信することを特徴とする請求項６または７に記載の表示装置。
【発明の詳細な説明】
【技術分野】
【０００１】
本発明は、画像データに応じて表示パネルを駆動するデータドライバ及び表示装置に関する。
【背景技術】
【０００２】
表示装置としての液晶表示装置には、液晶表示パネルと共に、この液晶表示パネルを駆動する複数のデータドライバと、当該ドライバの各々に画像データを伝送する制御部と、が含まれている。また、近年、高精細画像を表示する為に液晶表示パネルが高解像度化され、それに伴い液晶表示装置内での画像データの伝送周波数が高くなっている。よって、伝送周波数の高周波数化に伴う消費電力の増加が懸念されている。
【０００３】
そこで、１表示ライン分の各表示データのうちで互いに隣接するもの同士が同一である場合には、液晶表示パネルを駆動する電圧を液晶表示パネルに送出するのを停止することにより低消費電力化を図るようにしたデータドライバが提案された（例えば特許文献１参照）。
【先行技術文献】
【特許文献】
【０００４】
【特許文献１】特開２０００−１９４３０５号公報
【発明の概要】
【発明が解決しようとする課題】
【０００５】
しかしながら、表示装置内での画像データの伝送周波数の高周波数化に伴い、電磁気的干渉、いわゆるＥＭＩ（Electro-Magnetic Interference ）が発生し、ドライバ側で受信した画像データに誤りが生じる虞があった。これにより、画像の表示品質が低下するという問題が生じた。
【０００６】
本発明は、表示品質の低下及び電力消費量の増大を抑えることが可能なデータドライバ及び表示装置を提供することを目的とするものである。
【課題を解決するための手段】
【０００７】
本発明に係るデータドライバは、各画素の輝度レベルを示す画素データ片の系列に対して誤り訂正符号化処理が施された少なくとも１つの符号化データブロックを含む画像データ信号を受信する受信部と、受信した前記画像データ信号に含まれる前記符号化データブロックに復号処理を施す復号処理部と、前記復号処理によって得られた前記画素データ片の各々を、夫々が示す前記輝度レベルに対応した電圧を有する画素駆動電圧に変換する変換部と、を有する。
【０００８】
本発明に係る表示装置は、各画素の輝度レベルを示す画素データ片の系列に対して誤り訂正符号化処理が施された少なくとも１つの符号化データブロックを含む画像データ信号を受信し、受信した前記画像データ信号に含まれる前記符号化データブロックに復号処理を施し、当該復号処理によって得られた前記画素データ片の各々を、夫々が示す前記輝度レベルに対応した電圧を有する画素駆動電圧に変換するデータドライバと、前記データドライバに前記画像データ信号を送信する制御部と、前記画素駆動電圧を夫々受ける複数のデータラインを含む表示パネルと、を含む。
【発明の効果】
【０００９】
本発明においては、入力画像データにおける画素データ片の系列に対して誤り訂正符号化処理を施して得た符号化データブロックと、画素データ片の系列中における赤、緑及び青色に夫々対応した３つの画素データ片を含む代表画素データ群と、を有する送信画像データ信号を表示パネルのドライバに送信する。ドライバ側では、送信画像データ信号に対して誤り訂正処理を施して得た画素データ片の系列を画素駆動電圧に変換して表示パネルに印加する。
【００１０】
これにより、表示装置内での画像データの伝送周波数の高周波数化に伴って発生するＥＭＩに起因して、ドライバ側で受信した画像データに誤りが生じても、その誤りが訂正されるので表示品質の高い画像を表示することが可能となる。
【００１１】
なお、１水平走査ライン分の画素が同一色となる場合には、上記のような誤り訂正処理を実施せず、送信画像データ信号に含まれる上記代表画素データ群を画素駆動電圧に変換して表示パネルに印加するようにしている。よって、この際、誤り訂正処理が実施されない分だけ電力消費量を削減することが可能となる。
【００１２】
従って、本発明によれば、表示装置内での画像データの伝送周波数の高周波数化に伴う表示品質の低下を抑えると共に電力消費量の増大を抑えることが可能となる。
【図面の簡単な説明】
【００１３】
【図１】本発明に係る表示装置の概略構成を示す図である。
【図２】入力画像データＶＤのフォーマットの一例を示す図である。
【図３】送信画像データ信号生成部１００の内部構成を示すブロック図である。
【図４】ライン同一色検出部１０１の内部構成を示すブロック図である。
【図５】ライン情報ＬＩＦのデータフォーマットを示す図である。
【図６】送信用中間画像データＰＡ、ＰＢ、及び送信画像データ信号ＶＤＴのデータフォーマットを示す図である。
【図７】データドライバ１２の内部構成を示すブロック図である。
【図８】代表画素データレジスタ１２６から送出される画素データブロックＣＨＤのデータフォーマットを示す図である。
【図９】データドライバ１２において実施されるデータ受信制御ルーチンを示すフローチャートである。
【発明を実施するための形態】
【００１４】
図１は、本発明に係る表示装置の概略構成を示す図である。
【００１５】
図１において、例えば液晶パネルとしての表示パネル２０には、液晶層（図示せぬ）と、２次元画面の水平方向に伸張するｎ個（ｎは２以上の整数）の水平走査ラインＳ1〜Ｓnと、２次元画面の垂直方向に伸張するｍ個（ｍは２以上の整数）のデータラインＤ1〜Ｄmとが設けられている。水平走査ライン及びデータラインの交叉部の領域には、赤色表示を担う赤表示セルＰR、緑色表示を担う緑表示セルＰG、又は青色表示を担う青表示セルＰBが形成されている。すなわち、データラインＤ1〜Ｄmのうちで（３・ｔ−２）番目（ｔは自然数）のデータライン、つまりＤ1、Ｄ4、Ｄ7、・・・、Ｄm-2の各々には赤表示セルＰRが形成されている。また、データラインＤ1〜Ｄmのうちで（３・ｔ−１）番目に配列されているデータライン、つまりＤ2、Ｄ5、Ｄ8、・・・、Ｄm-1の各々には緑表示セルＰGが形成されている。また、データラインＤ1〜Ｄmのうちで（３・ｔ）番目に配列されているデータライン、つまりＤ3、Ｄ6、Ｄ9、・・・、Ｄmには青表示セルＰBが形成されている。
【００１６】
図１に示すように、水平走査ラインＳ1〜Ｓnの各々上において、互いに隣接する３つの表示セル、つまり赤表示セルＰR、緑表示セルＰG及び青表示セルＰBにて１つの画素ＰＸ（破線にて囲まれた領域）が形成されている。
【００１７】
駆動制御部１０は、入力画像データＶＤに同期した走査制御信号を生成し、これを走査ドライバ１１に供給する。
【００１８】
入力画像データＶＤは、例えば図２に示すように、１水平走査ライン毎に、表示パネル２０における各画素の輝度レベルを例えば８ビットで表す画素データＱＤ1〜ＱＤmの系列からなる。なお、画素データＱＤ1〜ＱＤmの系列中において、画素データＱＤ1、ＱＤ4、ＱＤ7、・・・、ＱＤm-5、ＱＤm-2、つまり（３・ｔ−２）番目に配置されている画素データＱＤは、赤色成分の輝度レベルを表す。また、画素データＱＤ1〜ＱＤmの系列中において、画素データＱＤ2、ＱＤ5、ＱＤ8、・・・、ＱＤm-4、ＱＤm-1、つまり（３・ｔ−１）番目に配置されている画素データＱＤは、緑色成分の輝度レベルを表す。また、画素データＱＤ1〜ＱＤmの系列中において、画素データＱＤ3、ＱＤ6、ＱＤ9、・・・、ＱＤm-3、ＱＤm、つまり（３・ｔ）番目に配置されている画素データＱＤは、青色成分の輝度レベルを表す。
【００１９】
駆動制御部１０は、この入力画像データＶＤに基づき送信画像データ信号ＶＤＴを生成し、これをデータドライバ１２に送信する。なお、駆動制御部１０による送信画像データ信号ＶＤＴの生成動作については後述する。
【００２０】
走査ドライバ１１は、駆動制御部１０から供給された走査制御信号に応じて走査パルスを生成し、これを表示パネル２０の水平走査ラインＳ1〜Ｓnに順次択一的に印加する。
【００２１】
データドライバ１２は、単一の半導体チップ、又は複数の半導体チップに分散して形成されている。
【００２２】
データドライバ１２は、先ず、受信した送信画像データ信号ＶＤＴに対して復号処理を施すことにより、図２に示す画素データＱＤの系列を復元する。なお、データドライバ１２による復号処理の詳細については後述する。データドライバ１２は、復元した画素データＱＤの系列を順次取り込んで保持する。この際、１水平走査ライン分、つまりｍ個の画素データＱＤの取り込みが完了する度に、データドライバ１２は、これらｍ個の画素データＱＤの各々を、その画素データＱＤによって示される輝度レベルに対応したアナログの電圧に変換し、これらを画素駆動電圧Ｇ1〜Ｇmとして表示パネル２０のデータラインＤ1〜Ｄmに印加する。
【００２３】
以下に、駆動制御部１０による送信画像データ信号ＶＤＴの生成及び送信動作と、データドライバ１２の動作について説明する。
【００２４】
図３は、駆動制御部１０内に設けられており、上記送信画像データ信号ＶＤＴの生成及び送信を行う送信画像データ信号生成部１００の内部構成の一例を示すブロック図である。図３に示すように、送信画像データ信号生成部１００は、ライン同一色検出部１０１、誤り訂正符号化部１０２、インタリーブ処理部１０３及び送信部１０４を含む。
【００２５】
ライン同一色検出部１０１は、例えば図４に示す内部構成を有する。図４において、色補正部１０１ｘは、モード信号ＭＯＤが高画質モードを示す場合には、入力画像データＶＤをそのまま画像データＶＤＸとして色分離抽出部１０１ａに供給する。一方、モード信号ＭＯＤが低消費電力モードを示す場合には、入力画像データＶＤに対して以下の補正を施したものを画像データＶＤＸとして色分離抽出部１０１ａに供給する。
【００２６】
すなわち、低消費電力モードでは、色補正部１０１ｘは、先ず、入力画像データＶＤに基づき、１水平走査ライン分毎に各画素によって表現される色の頻度を求める。次に、色補正部１０１ｘは、この頻度が最も高い色、つまり１水平走査ライン分の各画素で表現される色のうちで最も多い色を基準色として設定する。なお、頻度が最高となる色が複数存在する場合には、色補正部１０１ｘは、入力画像データＶＤに基づき、１水平走査ライン分の各画素による平均色を上記した基準色として設定する。
【００２７】
次に、色補正部１０１ｘは、上記した１水平走査ライン分の画素毎に、その画素によって表される色と、基準色との差分を求める。すなわち、色補正部１０１ｘは、基準色における赤色、緑色及び青色成分各々の輝度（以下、基準赤輝度、基準緑輝度及び基準青輝度と称する）と、入力画像データＶＤに基づく各画素における赤色、緑色及び青色成分各々の輝度との差分を、色成分（赤、緑、青）毎に求める。尚、以降、基準赤輝度に対する差分を赤色差分、基準緑輝度に対する差分を緑色差分、基準青輝度に対する差分を青色差分と称する。
【００２８】
次に、色補正部１０１ｘは、上記した赤色差分、緑色差分及び青色差分からなる色差分が、全て所定範囲内、例えば最大輝度の５％〜−５％の範囲内にあるか否かを画素毎に判定する。なお、色補正部１０１ｘは、画素毎に、赤色差分、緑色差分、及び青色差分の合計が例えば最大輝度の１０％〜−１０％の範囲内にあるか否かを判定するようにしても良い。
【００２９】
ここで、各色成分の差分が所定範囲内にあると判定された場合には、色補正部１０１ｘは、その画素に対応した各色成分の画素データＱＤの各々にて示される輝度レベルを、基準色における各色成分の輝度レベルの値に夫々置き換える補正を行う。一方、各色成分の差分が所定範囲内には無いと判定された場合には、色補正部１０１ｘは、その画素に対応した各色成分の画素データＱＤの各々に対しては上記のような補正は行わない。
【００３０】
そして、色補正部１０１ｘは、入力画像データＶＤにおける画素データＱＤの各々に対して、上記のような処理を施したものを画像データＶＤＸとして色分離抽出部１０１ａに供給する。
【００３１】
色分離抽出部１０１ａは、画像データＶＤＸにて示される画素データＱＤの系列中から赤色成分の輝度レベルを表す画素データＱＤを赤色画素データＱＤRとして順次抽出する。すなわち、色分離抽出部１０１ａは、図２に示す画素データＱＤの系列中から、（３・ｔ−２）番目に配置されている画素データＱＤ1、ＱＤ4、ＱＤ7、・・・、ＱＤm-5、ＱＤm-2の各々を赤色画素データＱＤRとして順次抽出する。色分離抽出部１０１ａは、かかる赤色画素データＱＤRの系列を赤色同一判定部１０１ｂ及びＬＩＦ生成部１０１ｃに供給する。
【００３２】
また、色分離抽出部１０１ａは、画像データＶＤＸにて示される画素データＱＤの系列中から緑色成分の輝度レベルを表す画素データＱＤを緑色画素データＱＤGとして順次抽出する。すなわち、色分離抽出部１０１ａは、図２に示す画素データＱＤの系列中から、（３・ｔ−１）番目に配置されている画素データＱＤ2、ＱＤ5、ＱＤ8、・・・、ＱＤm-4、ＱＤm-1の各々を緑色画素データＱＤGとして順次抽出する。色分離抽出部１０１ａは、かかる緑色画素データＱＤGの系列を緑色同一判定部１０１ｄ及びＬＩＦ生成部１０１ｃに供給する。
【００３３】
更に、色分離抽出部１０１ａは、画像データＶＤＸにて示される画素データＱＤの系列中から青色成分の輝度レベルを表す画素データＱＤを青色画素データＱＤBとして順次抽出する。すなわち、色分離抽出部１０１ａは、図２に示す画素データＱＤの系列中から、（３・ｔ）番目に配置されている画素データＱＤ3、ＱＤ6、ＱＤ9、・・・、ＱＤm-3、ＱＤmの各々を青色画素データＱＤBとして順次抽出する。色分離抽出部１０１ａは、かかる青色画素データＱＤBの系列を青色同一判定部１０１ｅ及びＬＩＦ生成部１０１ｃに供給する。
【００３４】
赤色同一判定部１０１ｂは、１水平走査ライン分の赤色画素データＱＤR、つまり画素データＱＤ1、ＱＤ4、ＱＤ7、・・・、ＱＤm-5、及びＱＤm-2が同一の輝度レベルであるか否かを判定する。赤色同一判定部１０１ｂは、１水平走査ライン分の赤色画素データＱＤRが同一であると判定された場合に論理レベル１、１水平走査ライン分のＱＤRの全てが同一とはならないと判定された場合には論理レベル０の赤色一致判定信号ＬRをアンドゲート１０１ｆに供給する。
【００３５】
緑色同一判定部１０１ｄは、１水平走査ライン分の緑色画素データＱＤG、つまり画素データＱＤ2、ＱＤ5、ＱＤ8、・・・、ＱＤm-4、ＱＤm-1が同一の輝度レベルであるか否かを判定する。緑色同一判定部１０１ｄは、１水平走査ライン分の緑色画素データＱＤGが同一であると判定された場合に論理レベル１、１水平走査ライン分のＱＤGの全てが同一とはならないと判定された場合には論理レベル０の緑色一致判定信号ＬGをアンドゲート１０１ｆに供給する。
【００３６】
青色同一判定部１０１ｅは、１水平走査ライン分の青色画素データＱＤB、つまり画素データＱＤ3、ＱＤ6、ＱＤ9、・・・、ＱＤm-3、ＱＤmが同一の輝度レベルであるか否かを判定する。青色同一判定部１０１ｅは、１水平走査ライン分の青色画素データＱＤBが同一であると判定された場合に論理レベル１、１水平走査ライン分のＱＤBの全てが同一とはならないと判定された場合には論理レベル０の青色一致判定信号ＬBをアンドゲート１０１ｆに供給する。
【００３７】
アンドゲート１０１ｆは、赤色一致判定信号ＬR、緑色一致判定信号ＬG及び青色一致判定信号ＬBが全て論理レベル１である場合には論理レベル１、それ以外の場合には論理レベル０を有するライン同一色データＬＣをＬＩＦ生成部１０１ｃに供給する。
【００３８】
すなわち、アンドゲート１０１ｆは、上記した高画質モード時には、１水平走査ライン分の全ての画素ＰＸが同一色（以降、１ライン同一色と称する）となる場合に論理レベル１、全ての画素ＰＸが同一色とはならない場合には論理レベル０のライン同一色データＬＣをＬＩＦ生成部１０１ｃに供給するのである。一方、低消費電力モード時には、アンドゲート１０１ｆは、１水平走査ライン分の画素ＰＸで表現される各色のうちで最も頻度の高い基準色と、この１水平走査ライン分の画素ＰＸで表現される各色との色差が全て所定範囲内にある場合には論理レベル１、その他の場合には論理レベル０のライン同一色データＬＣをＬＩＦ生成部１０１ｃに供給する。
【００３９】
ＬＩＦ生成部１０１ｃは、上記したライン同一色データＬＣ、赤色画素データＱＤR、緑色画素データＱＤG及び青色画素データＱＤBに基づき、図５に示すデータフォーマットからなるライン情報ＬＩＦを生成し、これを内蔵レジスタ（図示せぬ）に保持する。
【００４０】
すなわち、ＬＩＦ生成部１０１ｃは、先ず、アンドゲート１０１ｆから供給されたライン同一色データＬＣを内蔵レジスタに保持する。次に、ＬＩＦ生成部１０１ｃは、色分離抽出部１０１ａから供給された赤色画素データＱＤR各々のうちの１つを代表赤色画素データＨRとして、内蔵レジスタに保持する。また、ＬＩＦ生成部１０１ｃは、色分離抽出部１０１ａから供給された緑色画素データＱＤG各々のうちの１つを代表緑色画素データＨGとして、内蔵レジスタに保持する。また、ＬＩＦ生成部１０１ｃは、色分離抽出部１０１ａから供給された青色画素データＱＤB各々のうちの１つを代表青色画素データＨBとして、内蔵レジスタに保持する。
【００４１】
更に、ＬＩＦ生成部１０１ｃは、内蔵レジスタに保持したライン同一色データＬＣ、代表赤色画素データＨR、代表緑色画素データＨG及び代表青色画素データＨBからなるデータブロックに対して、例えばＣＲＣ（Ｃｙｃｌｉｃ  Ｒｅｄｕｎｄａｎｃｙ  Ｃｈｅｃｋ）による誤り検出符号化処理を施す。ＬＩＦ生成部１０１ｃは、かかる誤り検出符号化処理によって得られた誤り検査データＣＲＣを内蔵レジスタに保持する。
【００４２】
そして、ＬＩＦ生成部１０１ｃは、内蔵レジスタに保持した、上記ライン同一色データＬＣ、代表赤色画素データＨR、代表緑色画素データＨG及び代表青色画素データＨB、誤り検査データＣＲＣからなるライン情報ＬＩＦをＬＩＦ付加部１０１ｇに供給する。
【００４３】
ＬＩＦ付加部１０１ｇは、図６に示すように、入力画像データＶＤにおける１水平走査ライン分の画素データＱＤ1〜ＱＤmからなる画素データブロックＨＱＤ毎に、その先頭部にライン情報ＬＩＦを付加したものを送信用中間画像データＰＡとして生成する。
【００４４】
よって、上記した図４に示す構成により、ライン同一色検出部１０１は、入力画像データＶＤに基づき図６に示す送信用中間画像データＰＡを生成し、これを誤り訂正符号化部１０２に供給する。
【００４５】
誤り訂正符号化部１０２は、送信用中間画像データＰＡにおける画素データブロックＨＱＤに対して誤り訂正符号化処理を施すことにより、このＨＱＤに誤り訂正符号データＥＲＲを付加した符号化データブロックＣＤＤを生成する。誤り訂正符号化部１０２は、図６に示すように、符号化データブロックＣＤＤの先頭部にライン情報ＬＩＦを付加してなる送信用中間画像データＰＢをインタリーブ部１０３に供給する。
【００４６】
インタリーブ部１０３は、図６に示す送信用中間画像データＰＢの符号化データブロックＣＤＤに対してデータ配列を変更するインタリーブ処理を施すことにより、符号化データブロックＩＬＶを得る。
【００４７】
送信部１０４は、図６に示すように、ライン情報ＬＩＦ及び符号化データブロックＩＬＶを含むデータ系列からなる送信画像データ信号ＶＤＴを、伝送ラインＬＬを介してデータドライバ１２に送信する。
【００４８】
図７は、データドライバ１２の内部構成の一例を示すブロック図である。図７において、インタフェース部１２１は、伝送ラインＬＬを介して受信した送信画像データ信号ＶＤＴをクロック信号に応じたタイミングで取り込み、これをＬＩＦ取込部１２２及びデータ復号部１２３に供給する。
【００４９】
ＬＩＦ取込部１２２は、図６に示す送信画像データ信号ＶＤＴ中からライン情報ＬＩＦを取り込む。そして、ＬＩＦ取込部１２２は、図５に示すライン情報ＬＩＦを誤り検出部１２４に供給すると共に、ライン情報ＬＩＦ中のライン同一色データＬＣをアンドゲート１２５に供給する。更に、ＬＩＦ取込部１２２は、図５に示すライン情報ＬＩＦ中の代表赤色画素データＨR、代表緑色画素データＨG及び代表青色画素データＨBを代表画素レジスタ１２６に供給する。
【００５０】
誤り検出部１２４は、ライン情報ＬＩＦに含まれる誤り検査データＣＲＣに基づき、ライン情報ＬＩＦに含まれるライン同一色データＬＣ、代表赤色画素データＨR、代表緑色画素データＨG及び代表青色画素データＨBからなる系列中に誤りビットが存在するか否かを検出する。この際、誤り検出部１２４は、誤りビットが存在する場合には論理レベル０、誤りビットが存在しない場合には論理レベル１の誤り検出信号ＥＲをアンドゲート１２５に供給する。
【００５１】
アンドゲート１２５は、誤り検出信号ＥＲ及びライン同一色データＬＣが共に論理レベル１である場合に論理レベル１、ＥＲ及びＬＣのうちの少なくとも一方が論理レベル０となる場合には論理レベル０のライン同一画素信号ＳＥを生成する。つまり、アンドゲート１２５は、ライン情報ＬＩＦに誤りが無く、且つライン情報ＬＩＦに含まれるライン同一色データＬＣが、１ライン同一色を示す場合に論理レベル１のライン同一画素信号ＳＥを生成する。一方、ライン情報ＬＩＦに誤りが生じている、又はライン同一色データＬＣが、１ライン同一色では無いことを示す場合には、アンドゲート１２５は、論理レベル０のライン同一画素信号ＳＥを生成する。
【００５２】
アンドゲート１２５は、かかるライン同一画素信号ＳＥをデータ復号部１２３、代表画素レジスタ１２６及びセレクタ１２７に供給する。
【００５３】
データ復号部１２３は、論理レベル０のライン同一画素信号ＳＥが供給されている場合には以下の復号処理を行う状態となる一方、論理レベル１のライン同一画素信号ＳＥが供給されている場合には動作停止状態に設定されるデインタリーブ回路ＤＶ及び誤り訂正回路ＥＥを有する。
【００５４】
デインタリーブ回路ＤＶは、図６に示される送信画像データ信号ＶＤＴ中の符号化データブロックＩＬＶに対してデータ配列を元に戻すデインタリーブ処理を施す。これにより、デインタリーブ回路ＤＶは、画素データブロックＨＱＤ及び誤り訂正符号データＥＲＲからなる符号化データブロックＣＤＤを復元する。例えば、デインタリーブ回路ＤＶは、先ず、符号化データブロックＩＬＶを一旦、ＲＡＭ（Ｒａｎｄｏｍ  Ａｃｃｅｓｓ  Ｍｅｍｏｒｙ）１２８の第１処理領域に書き込む。ここで、デインタリーブ回路ＤＶは、第１処理領域から符号化データブロックＩＬＶを分割して読み出し、そのデータ配置が図６に示される画素データブロックＨＱＤ及び誤り訂正符号データＥＲＲと同一となるように組み替えたものをＲＡＭ１２８の第２処理領域に書き込む。よって、デインタリーブ処理によって復元された画素データブロックＨＱＤ及び誤り訂正符号データＥＲＲからなる符号化データブロックＣＤＤがＲＡＭ１２８の第２処理領域に保持される。デインタリーブ回路ＤＶは、ＲＡＭ１２８の第２処理領域に保持された画素データブロックＨＱＤ及び誤り訂正符号データＥＲＲを誤り訂正回路ＥＥに供給する。なお、ＲＡＭ１２８には、上記のデインタリーブ処理によって使用される第１及び第２処理領域の他に、以下の誤り検出及び誤り訂正処理過程によって生成される中間データを保持する領域を有する。
【００５５】
誤り訂正回路ＥＥは、デインタリーブ回路ＤＶによって復元された符号化データブロックＣＤＤに対して誤り検出及び誤り訂正処理を施す。この際、誤り検出及び誤り訂正の処理過程で生成される中間データがＲＡＭ１２８に書き込まれ、必要に応じて読み出される。誤り訂正回路ＥＥは、誤り検出及び誤り訂正処理により、符号化データブロックＣＤＤ中に生じている誤りを訂正することにより、図６に示す１水平走査ライン分の画素データＱＤ1〜ＱＤmの系列を復元し、復元された画素データＱＤ1〜ＱＤmからなる画素データブロックＨＱＤを得る。
【００５６】
このように、データ復号部１２３は、受信した送信画像データ信号ＶＤＴに対して復号処理、つまりデインタリーブ処理及び誤り訂正処理を施して得た画素データブロックＨＱＤをセレクタ１２７に供給する。
【００５７】
代表画素レジスタ１２６は、ＬＩＦ取込部１２２から供給された夫々単一の代表赤色画素データＨR、代表緑色画素データＨG及び代表青色画素データＨBを保持する。そして、代表画素レジスタ１２６は、論理レベル１のライン同一画素信号ＳＥが供給された場合には以下の読み出し動作を行う。
【００５８】
すなわち、代表画素レジスタ１２６は、記憶されている代表赤色画素データＨR、代表緑色画素データＨG及び代表青色画素データＨBを、図８に示すように１水平走査ライン分だけ、ＨR、ＨG、ＨBの順に周期的に繰り返し読み出す。代表画素レジスタ１２６は、このように読み出した１水平走査ライン分のｍ個のＨR、ＨG、ＨBからなる画素データブロックＣＨＤをセレクタ１２７に供給する。
【００５９】
尚、代表画素レジスタ１２６は、論理レベル０のライン同一画素信号ＳＥが供給された場合には動作停止状態となる。
【００６０】
セレクタ１２７は、代表画素レジスタ１２６から供給された画素データブロックＣＨＤ、及びデータ復号部１２３から供給された画素データブロックＨＱＤのうちから、ライン同一画素信号ＳＥにて示される方を択一的に選択する。つまり、セレクタ１２７は、ライン同一画素信号ＳＥが論理レベル０を示す場合には画素データブロックＨＱＤを選択する一方、ライン同一画素信号ＳＥが論理レベル１を示す場合には画素データブロックＣＨＤを選択する。セレクタ１２７は、これら画素データブロックＨＱＤ及びＣＨＤのうちから、上記のように選択された方をデータラッチ１２９に供給する。
【００６１】
すなわち、セレクタ１２７は、１ライン同一色ではないことを示す論理レベル０のライン同一画素信号ＳＥに応じて、データ復号部１２３にて復号された画素データブロックＨＱＤをデータラッチ１２９に供給する。また、１ライン同一色を示す論理レベル１のライン同一画素信号ＳＥに応じて、セレクタ１２７は、代表画素データ群（ＨR、ＨG、ＨB）からなる画素データブロックＣＨＤをデータラッチ１２９に供給するのである。
【００６２】
データラッチ１２９は、上記した画素データブロックＨＱＤ又はＣＨＤに含まれる１水平走査ライン分のｍ個の画素データ片（ＱＤ、Ｈ）を順次取り込み、これらを画素データＳＤ1〜ＳＤmとして階調電圧生成部１３０に供給する。
【００６３】
階調電圧生成部１３０は、画素データＳＤ1〜ＳＤmを、夫々が示す輝度レベルに対応したアナログの階調電圧に変換する。そして、階調電圧生成部１３０は、画素データＳＤ1〜ＳＤmに夫々対応した階調電圧を画素駆動電圧Ｇ1〜Ｇmとして表示パネル２０のデータラインＤ1〜Ｄmに印加する。
【００６４】
上記した構成により、データドライバ１２は、受信した図６に示す送信画像データ信号ＶＤＴに基づき、画素データブロックＨＱＤ及びＣＨＤのうちの一方を得る。つまり、送信画像データ信号ＶＤＴに含まれるライン情報ＬＩＦに誤りが生じている（ＥＲ＝０）、又はライン情報ＬＩＦに含まれるライン同一色データＬＣが１ライン同一色を示していない（ＬＣ＝０）場合には、データドライバ１２は、画素データブロックＨＱＤを生成する。すなわち、この場合、データ復号部１２３が、送信画像データ信号ＶＤＴの符号化データブロックＩＬＶに対して、デインタリーブ処理及び誤り訂正処理を施すことにより、図６に示す画素データＱＤ1〜ＱＤmからなる画素データブロックＨＱＤを復元する。そして、セレクタ１２７が、かかる画素データブロックＨＱＤをデータラッチ１２９に供給することにより、ＨＱＤに含まれる１水平走査ライン分の画素データＱＤ1〜ＱＤmをデータラッチ１２９に取り込ませる。これにより、階調電圧生成部１３０は、図６に示される画素データＱＤ1〜ＱＤmに夫々対応したアナログの画素駆動電圧Ｇ1〜Ｇmを生成して表示パネル２０のデータラインＤ1〜Ｄmに印加する。
【００６５】
一方、ライン情報ＬＩＦに誤りが生じておらず（ＥＲ＝１）、且つライン同一色データＬＣが１ライン同一色を示す（ＬＣ＝１）場合には、データドライバ１２は、受信した送信画像データ信号ＶＤＴに基づき画素データブロックＣＨＤを生成する。すなわち、この場合、代表画素レジスタ１２６が、ライン情報ＬＩＦに含まれる夫々単一の代表赤色画素データＨR、代表緑色画素データＨG及び代表青色画素データＨBを、図８に示すようにＨR、ＨG、ＨBの順に周期的に繰り返し読み出す。これにより、代表画素レジスタ１２６は、３つの代表赤色画素データＨR、代表緑色画素データＨG及び代表青色画素データＨが１水平走査ライン分に亘り繰り返し配置された画素データブロックＣＨＤを生成する。そして、セレクタ１２７が、かかる画素データブロックＣＨＤをデータラッチ１２９に供給することにより、ＣＨＤに含まれる１水平走査ライン分の代表赤色画素データＨR、代表緑色画素データＨG及び代表青色画素データＨBをデータラッチ１２９に取り込ませる。これにより、階調電圧生成部１３０は、３つの代表赤色画素データＨR、代表緑色画素データＨG及び代表青色画素データＨBに基づき、１水平走査ラインが同一色となるアナログの画素駆動電圧Ｇ1〜Ｇmを生成して表示パネル２０のデータラインＤ1〜Ｄmに印加する。
【００６６】
以上のように、図１に示す表示装置では、駆動制御部１０が、入力画像データＶＤに対して誤り訂正符号化処理及びインタリーブ処理を施して得た送信画像データ信号ＶＤＴを、伝送ラインＬＬを介してデータドライバ１２に送信する。この際、データドライバ１２は、受信した送信画像データ信号ＶＤＴに対してデインタリーブ処理及び誤り訂正処理を施す。これにより、データドライバ１２は、受信した送信画像データ信号ＶＤＴから、入力画像データＶＤにて示される画素データＱＤの系列を復元し、当該画素データＱＤの系列を１水平走査ライン分（ｍ個）ずつデータラッチ１２９で取り込むようにしている。
【００６７】
よって、かかる構成によれば、画像データ信号の伝送周波数の高周波数化に伴って発生するＥＭＩの影響によって、データドライバ１２で受信した送信画像データ信号ＶＤＴ中に誤りが生じていても、これをデータドライバ１２側で訂正することができる。従って、画像データ信号の高周波数化に伴うＥＭＩ環境下においても、表示品質の低下を防ぐことが可能となる。
【００６８】
更に、駆動制御部１０では、入力画像データＶＤ中に、１水平走査ライン上の各画素ＰＸを同一色で表示させるような画素データＱＤ1〜ＱＤmが存在する場合には、先ず、当該ＱＤ1〜ＱＤmのうちから、その色を形成する為の３つの画素データを代表画素データ（ＨR、ＨG、ＨB）として選出する。そして、駆動制御部１０は、これらＨR、ＨG及びＨBと共に、１水平走査ライン上の各画素が同一色状態となるか否かを示すライン同一色データＬＣを含むライン情報ＬＩＦを、図６に示すように送信画像データ信号ＶＤＴに含ませたものをデータドライバ１２に送信する。
【００６９】
ここで、データドライバ１２では、ライン同一色データＬＣが、１水平走査ライン上の各画素が同一色となることを示す場合には、受信した送信画像データ信号ＶＤＴに対するデインタリーブ処理及び誤り訂正処理を行わずに、以下の処理を行う。すなわち、ライン情報ＬＩＦに含まれている３つの代表赤色画素データＨR、代表緑色画素データＨG及び代表青色画素データＨBを１水平走査ライン分（ｍ個）に亘り繰り返し、データラッチ１２９に取り込ませるのである。
【００７０】
よって、かかる構成によれば、１水平走査ライン上の全画素が同一色となる場合には、受信した送信画像データ信号ＶＤＴに対して上記デインタリーブ処理及び誤り訂正処理は実施されず、且つその処理に付随するＲＡＭ１２８へのアクセスも実施されない。従って、デインタリーブ処理、誤り訂正処理、及びＲＡＭ１２８へのアクセスが実施されない分だけ、電力消費量及び発熱量を低減することが可能となる。
【００７１】
以上のように、図１に示す表示装置によれば、表示パネルの高精細化に伴い表示装置内での画像データ信号の伝送周波数を高周波数化しても、表示品質を低下させることなく電力消費量及び発熱量の増大を抑えることが可能となる。
【００７２】
なお、図７に示すデータドライバ１２の構成では、送信画像データ信号ＶＤＴを受信してから１水平走査ライン分の画素データ群をデータラッチ１２９に送出するまでのデータ受信動作をハードウェア（１２１〜１２７）にて実施しているが、これをソフトウェアで実施するようにしても良い。
【００７３】
図９は、かかる点に鑑みて為された、データドライバ１２内の制御部（図示せぬ）が実施するデータ受信制御ルーチンを示すフローチャートである。
【００７４】
図９において、先ず、データドライバ１２の制御部は、受信した送信画像データ信号ＶＤＴ中から図５に示すライン情報ＬＩＦを取り込む（ステップＳ１）。次に、制御部は、図５に示すようにライン情報ＬＩＦに含まれている誤り検査データＣＲＣに基づき、このライン情報ＬＩＦに対して誤り検出処理を施し（ステップＳ２）、誤りが有るか否かを判定する（ステップＳ３）。ステップＳ３において誤りが無いと判定された場合、制御部は、ライン情報ＬＩＦに含まれているライン同一色データＬＣが、１水平走査ライン上の各画素が同一色状態となることを示す論理レベル１であるか否かを判定する（ステップＳ４）。ステップＳ４において、ライン同一色データＬＣが論理レベル１であると判定された場合、制御部は、図５に示すようにライン情報ＬＩＦに含まれている代表赤色画素データＨR、代表緑色画素データＨG及び代表青色画素データＨBを１水平走査ライン分（ｍ個）に亘り繰り返し、データラッチ１２９に送出する（ステップＳ５）。
【００７５】
一方、ステップＳ３においてライン情報ＬＩＦに誤りがあると判定された場合、又はライン同一色データＬＣが、１水平走査ライン上の全ての画素が同一色状態には無いことを示す論理レベル０であると判定された場合、制御部は、以下のステップＳ６を実行する。すなわち、制御部は、受信した送信画像データ信号ＶＤＴ中の図６に示す符号化データブロックＩＬＶに対して、デインタリーブ処理を施すことにより、図６に示す画素データＱＤ1〜ＱＤm及び誤り訂正符号データＥＲＲからなる符号化データブロックＣＤＤを復元する（ステップＳ６）。次に、制御部は、かかる符号化データブロックＣＤＤに対して誤り訂正処理を施すことにより、誤り訂正された画素データＱＤ1〜ＱＤmを得てこれをデータラッチ１２９に送出する（ステップＳ７）。
【００７６】
データドライバ１２の制御部は、受信した送信画像データ信号ＶＤＴに対して、上記したステップＳ１〜Ｓ５、或いはＳ１〜Ｓ４、Ｓ６、Ｓ７なる制御を１水平走査ライン分毎に実施する。
【００７７】
要するに、図１に示す表示装置では、先ず、制御部（１０）が、以下のように、入力画像データ（ＶＤ）に基づき送信画像データ信号（ＶＤＴ）を生成しこれをドライバ（１２）に送信する。
【００７８】
制御部（１０）は、ライン同一色検出部（１０１ｘ、１０１ａ〜１０１ｆ）、代表画素抽出部（１０１ａ、１０１ｃ）、誤り訂正符号化部（１０２）及び送信部（１０４）を有する。ライン同一色検出部は、入力画像データにおける画素データ片の系列に基づき１水平走査ライン分の画素が同一色となるか否かを示すライン同一色データ（ＬＣ）を１水平走査ライン毎に生成する。代表画素抽出部は、画素データ片の系列中から赤色、緑色及び青色に夫々対応した３つの画素データ片（ＨR、ＨG、ＨB）を代表画素データ群として抽出する。誤り訂正符号化部は、画素データ片の系列に対して誤り訂正符号化処理を施すことにより符号化データブロック（ＣＤＤ）を生成する。送信部は、上記したライン同一色データ、代表画素データ群、及び符号化データブロックを含む送信画像データ信号を生成しこれをドライバに送信するのである。
【００７９】
ドライバ（１２）は、受信した送信画像データ信号中のライン同一色データが同一色ではないことを示す場合には、送信画像データ信号中の符号化データブロックに対して誤り訂正処理（ＥＥ）を施して得られた画素データ片の各々を画素駆動電圧に変換（１３０）して表示パネル（２０）の複数のデータライン（Ｄ1〜Ｄm）に印加する。一方、ライン同一色データが同一色であることを示す場合には、ドライバ（１２）は、送信画像データ信号中の代表画素データ群に含まれる画素データ片の各々を画素駆動電圧に変換して表示パネルの複数のデータラインに印加するのである。
【００８０】
なお、ライン同一色検出部は、高画質モードでは、１水平走査ライン分の画素が全て同一色となる場合に１水平走査ライン分の画素が同一色であると判定する。一方、ライン同一色検出部は、低消費電力モードでは、１水平走査ライン分の画素で表現される各色のうちで最も頻度の高い基準色と、１水平走査ライン分の各画素で表現される各色との色差が全て所定範囲内にある場合に１水平走査ライン分の画素が同一色であると判定するようにしている。
【符号の説明】
【００８１】
１０                            駆動制御部
１２                            データドライバ
２０                            表示パネル
１０１                        ライン同一色検出部
１０２                        誤り訂正符号化部
１２３                        データ復号部
１２６                        代表画素レジスタ
１２７                        セレクタ
１２８                        データラッチ
ＤＶ                          デインタリーブ回路
ＥＥ                          誤り訂正回路
【図１】
2019061249.tif 000003
【図２】
2019061249.tif 000004
【図３】
2019061249.tif 000005
【図４】
2019061249.tif 000006
【図５】
2019061249.tif 000007
【図６】
2019061249.tif 000008
【図７】
2019061249.tif 000009
【図８】
2019061249.tif 000010
【図９】
2019061249.tif 000011